(57)【要約】【課題】販売用化粧品の汚れを防止するとともに、防盗性を高めうるようにし、かつ陳列・保管室への商品の出し入れや入れ替え作業等を、前後両面から効率よく行いうるようにした化粧品陳列什器を提供する。【解決手段】箱形キャビネット２上に立設された前後左右方向に並ぶ４本の支柱６ａ、６ｂと、各支柱６ａ、６ｂの前後と後部に、ブラケット７を介して取付けられた外部棚板８と、前後の内向きブラケット７により両端部を支持した内部棚板９と、両支柱６ａ、６ｂ間に架設した上下１対のガイドレール１５、２３に沿って左右方向に移動する引戸１０と、前後に対向する支柱６の外側面を覆う側板２０とを備え、４本の支柱６ａ、６ｂと、前後の引戸１０とによって区画された空間を陳列・保管室Ｒとする。【選択図】  図１
2012187271.tif 000002
【特許請求の範囲】
【請求項１】
前面が開口する陳列・保管室の前面開口部の両側部に設けた左右１対の支柱と、
前記両支柱間に架設した上下１対のガイドレールと、
前記ガイドレールに沿って左右方向に移動し、前記陳列・保管室の前面開口部を開閉可能とした引戸と、
前記両支柱より後方を向くようにして、前記両支柱に架設した左右１対の内向きブラケットと、
前記両内向きブラケットにより両端部を支持した内部棚板と、
前記両支柱より前方を向くようにして、前記両支柱に架設した左右１対の外向きブラケットと、
前記両外向きブラケットにより両端部を支持した外部棚板
とを備えることを特徴とする陳列棚装置。
【請求項２】
左右１対の前部支柱と、
前記前部支柱の後方に配設した左右１対の後部支柱と、
前記両前部支柱間および前記両後部支柱間に架設した上下１対のガイドレールと、
前記ガイドレールに沿って開閉可能とした引戸と、
前記両前部支柱より後方を向くようにして、前記両前部支柱に架設した左右１対の内向きブラケットと、
前記両後部支柱より前方を向くようにして、前記両後部支柱に架設した左右１対の内向きブラケットと、
前記前後の内向きブラケットにより両端部を支持した内部棚板と、
前記両前部支柱より前方を向くようにして、前記両前部支柱に架設した左右１対の外向きブラケットと、
前記両後部支柱より後方を向くようにして、前記両後部支柱に架設した左右１対の外向きブラケットと、
前部および後部の両外向きブラケットにより両端部を支持した前後の外部棚板
とを備え、前記４本の支柱と、前後の引戸とによって区画された空間を陳列・保管室としたことを特徴とする陳列棚装置。
【請求項３】
前部支柱と後部支柱とに、それらの間の空間を閉塞する側板を取付けてなる請求項２記載の陳列棚装置。
【請求項４】
各支柱の内側面に、前後２列の上下方向に並ぶ複数の係合孔を設け、これら前後の係合孔のいずれかに、前後方向を向くブラケットの前縁または後縁に外向き折曲された係止フックを係合させることにより、ブラケットを、支柱の内側面に取付けてなる請求項１〜３のいずれかに記載の陳列棚装置。
【請求項５】
引戸を透明なものとしてなる請求項１〜４のいずれかに記載の陳列棚装置。
【請求項６】
引戸を施錠装置によりロックしうるようにしてなる請求項１〜５のいずれかに記載の陳列棚装置。
【請求項７】
各支柱を、箱形キャビネットの天板の上面に立設してなる請求項１〜６のいずれかに記載の陳列棚装置。
【発明の詳細な説明】
【技術分野】
【０００１】
本発明は、例えば香水やその他の化粧品を陳列して販売するための陳列棚装置に関する。
【背景技術】
【０００２】
香水等の化粧品を陳列して販売する商品陳列棚においては、顧客自身が各種化粧品を自由に手に取って選択したり、色合いや香りを確かめて選択しうるように、同じ棚板等に、販売用化粧品と、サンプル等のテスター品とを、一緒に陳列するようにしているのが一般的である(例えば特許文献１、２参照)。
このような商品陳列棚では、販売用の商品に直接手が触れるため、商品の販売前にそれが汚れてしまったり、販売の回転が悪い化粧品に埃が付着するなどして、顧客に不衛生な印象を与えるという問題がある。
【０００３】
このような問題を解消するものとして、テスター品の陳列部と隣接する側方に、販売用化粧品の陳列部を設け、この陳列部の前面を、開閉可能な透明の蓋体により覆った商品陳列棚が提案されている(例えば特許文献３参照)。
【先行技術文献】
【特許文献】
【０００４】
【特許文献１】特開平９−２７６０９７号公報
【特許文献２】特開２００１−２９９５２２号公報
【特許文献３】特開平１１−２８５４２９号公報
【発明の概要】
【発明が解決しようとする課題】
【０００５】
しかし、上記特許文献３に記載されている商品陳列棚においても、顧客が蓋体を自由に開閉して、その内部の販売用化粧品を手に取れるようになっているので、商品の汚れを完全に防止することはできない。
また、上記特許文献１〜３に記載の商品陳列棚は、いずれも、販売用化粧品を単に棚板等に陳列するのみで、商品を保管しておく機能を備えていないため、防盗上、高価な香水等を陳列するのは好ましくなく、それらの保管は別の場所で行う必要ある。
さらに、いずれの商品陳列棚においても、販売用化粧品の陳列や入れ替え等を行う際の出し入れ作業は、陳列什器の前面側からしか行えないので、店舗に陳列棚を島状に設置した際に、後面側から販売用化粧品の出し入れ作業ができず、不便である。
【０００６】
本発明は、上記問題点に鑑みてなされたもので、販売用の商品を、陳列・保管室に収容することにより、商品の汚れを防止するとともに、防盗性を高めうるようにし、かつ陳列・保管室への商品の出し入れや入れ替え作業等を、前後両面から効率よく行いうるようにした陳列棚装置を提供することを目的としている。
【課題を解決するための手段】
【０００７】
本発明によると、上記課題は、次の各項のようにして解決される。
（１）前面が開口する陳列・保管室の前面開口部の両側部に設けた左右１対の支柱と、前記両支柱間に架設した上下１対のガイドレールと、前記ガイドレールに沿って左右方向に移動し、前記陳列・保管室の前面開口部を開閉可能とした引戸と、前記両支柱より後方を向くようにして、前記両支柱に架設した左右１対の内向きブラケットと、前記両内向きブラケットにより両端部を支持した内部棚板と、前記両支柱より前方を向くようにして、前記両支柱に架設した左右１対の外向きブラケットと、前記両外向きブラケットにより両端部を支持した外部棚板とを備えるものとする。
【０００８】
このような構成によると、外部棚板の奥部に、引戸により仕切られた陳列・保管室が形成されるので、顧客が、陳列・保管室内の内部棚板に陳列された販売用の商品を自由に手に取って触れることはできず、従って、例えば高価な香水等の化粧品が盗難に遭ったり、汚れたりするのを防止することができる。
また、販売用の商品は、陳列・保管室内に収容されているので、販売の回転の遅い商品でも、それに埃が付着する恐れは小さい。
【０００９】
（２）左右１対の前部支柱と、前記前部支柱の後方に配設した左右１対の後部支柱と、前記両前部支柱間および前記両後部支柱間に架設した上下１対のガイドレールと、前記ガイドレールに沿って開閉可能とした引戸と、前記両前部支柱より後方を向くようにして、前記両前部支柱に架設した左右１対の内向きブラケットと、前記両後部支柱より前方を向くようにして、前記両後部支柱に架設した左右１対の内向きブラケットと、前記前後の内向きブラケットにより両端部を支持した内部棚板と、前記両前部支柱より前方を向くようにして、前記両前部支柱に架設した左右１対の外向きブラケットと、前記両後部支柱より後方を向くようにして、前記両後部支柱に架設した左右１対の外向きブラケットと、前部および後部の両外向きブラケットにより両端部を支持した前後の外部棚板とを備え、前記４本の支柱と、前後の引戸とによって区画された空間を陳列・保管室とする。
【００１０】
このような構成によると、上記(１)項と同様の作用効果を奏しうるとともに、前後の引戸を開くことにより、陳列・保管室内の内部棚板への商品の陳列や入れ替え作業、及び顧客の要求する商品の取り出し作業等を、前後両面から効率よく行うことができるので、使い勝手がくなる。
【００１１】
（３）上記(２)項において、前部支柱と後部支柱とに、それらの間の空間を閉塞する側板を取付ける。
【００１２】
このような構成によると、陳列・保管室内の商品の防盗性が、より高まる。
【００１３】
（４）上記(１)〜(３)項のいずれかにおいて、各支柱の内側面に、前後２列の上下方向に並ぶ複数の係合孔を設け、これら前後の係合孔のいずれかに、前後方向を向くブラケットの前縁または後縁に外向き折曲された係止フックを係合させることにより、ブラケットを、支柱の内側面に取付ける。
【００１４】
このような構成によると、各支柱の係合孔や、係合孔へのブラケットの係止フックの係合部が、前方、後方及び外側方から見えず、目立たないので、見栄えがよい。
また、各支柱の外側面が側板により覆われていても、ブラケットを、各支柱の内側面に容易に取付けることができる。
【００１５】
（５）上記(１)〜(４)項のいずれかにおいて、引戸を透明なものとする。
【００１６】
このような構成によると、陳列・保管室内に収容された商品を、前方または後方から見通すことができるので、商品の陳列効果が高まる。
【００１７】
（６）上記(１)〜(５)項のいずれかにおいて、引戸を施錠装置によりロックしうるようにする。
【００１８】
このような構成によると、陳列・保管室内に収容された商品の防盗性が高まる。
【００１９】
（７）上記(１)〜(６)項のいずれかにおいて、各支柱を、箱形キャビネットの天板の上面に立設する。
【００２０】
このような構成によると、各支柱の下端部を支持するベース脚等が不要となるとともに、キャビネットに、店頭で販売する商品を、在庫として保管しておけるので、在庫商品を別の場所に保管する必要がない。
【発明の効果】
【００２１】
本発明によれば、顧客が、陳列・保管室内の販売用商品を自由に手に取って触れることができないので、例えば高価な香水等の化粧品が盗難に遭ったり、汚れたりするのを防止することができる。
また、販売用の商品は、陳列・保管室内に収容されているので、販売の回転が悪い商品でも、それに埃が付着する恐れは小さい。
【図面の簡単な説明】
【００２２】
【図１】本発明の陳列棚装置の外観斜視図である。
【図２】同じく、正面図である。
【図３】支柱へのブラケットの取付け要領を示す斜視図である。
【図４】図２のＡ部の一部切り欠き拡大正面図である。
【図５】図４のV-V線拡大縦断側面図である。
【図６】図２のVI-VI線拡大縦断側面図である。
【発明を実施するための形態】
【００２３】
以下、本発明の実施形態を、図面に基づいて説明する。
図１及び図２に示すように、本発明の陳列棚装置は、前後両面(以下、斜め右手前を前として説明する)に錠付きの扉１、１を有する、在庫商品保管用の箱形のキャビネット２と、その天板３の上面に取付けられた商品陳列棚４と、この商品陳列棚４の上端に取付けられた照明装置５とを備えている。
【００２４】
商品陳列棚４は、天板３の前後部の両側端部上面に立設された前後左右方向に並ぶ前部支柱６ａ、６ａと後部支柱６ｂ、６ｂと、各支柱６ａ、６ｂに前方及び後方を向くように取付けた上下複数のブラケット７により、両側端部が支持された上下複数段の外部棚板８と、同じく、各支柱６に、互いに対向するように内向きとして取付けた上下複数のブラケット７により、両側端部が支持された上下複数段の平板状の内部棚板９と、左右１対の前部支柱６ａと後部支柱６ｂの対向面間に、左右方向に移動可能に設けられた左右２枚の引き違い式の引戸１０、１０とを備えている。
【００２５】
外部棚板８は、合成樹脂等により、上面が開放された前後幅の小さな横長箱状に形成され、その中に、香水や化粧品等のテスター品(図示略)を載置しうるようになっている。
内部棚板９と引戸１０は、共に透明ガラスよりなり、各段の内部棚板９には、図示しない販売用化粧品が載置されるようになっている。前後の引戸１０は、内部に陳列された販売用化粧品を顧客が自由に手に取れないようにするためと、防盗性に配慮して、施錠装置１１によりロックしうるようになっている。
【００２６】
図３に示すように、各段の外部棚板８、９を支持しているブラケット７における各支柱６と対向する端縁には、外側方に直角に折曲された上下２個の下向き鉤状の係止フック７ａが一体的に連設され、この係止フック７ａを、各支柱６ａ、６ｂの内側面に列設された前後２列の多数の係合孔１２における前部と後部の上下２個のものに係止することにより、各ブラケット７は、各支柱６ａ、６ｂの内側面に、前方及び後方を向くようにして、対向状に取り付けられている。
【００２７】
テスター品載置用の前後の外部棚板８の両側端部は、ブラケット７の上端に、取り外し可能、かつ前後左右方向に移動不能に係止して支持されている。
透明ガラスよりなる販売商品載置用の内部棚板９を支持するブラケット７の上縁には、棚板支持片７ｂが内側方を向くように連設され、この棚板支持片７ｂの上面に取付けた前後１対のゴム等よりなるパッド１３により、内部棚板９の側端部が滑り止めして支持されている。
【００２８】
前部支柱６ａと後部支柱６ｂにおける上端部の対向面同士は、前後方向を向く連結杆１４、１４と、引戸１０の上端部を案内する左右方向を向く上部ガイドレール１５、１５とにより、それぞれ連結されている。
【００２９】
照明装置５は、前部支柱６ａ、後部６ｂの上端部に下端部が差し込まれて固定された４本の支持杆１６と、前後の支持杆１６の上端に中央部下面が固定された前後方向の水平杆１７、１７と、左右の水平杆１７の前端部と後端部の対向面間に架設された前後１対のＬＥＤ照明具１８、１８とからなっている。この前後のＬＥＤ照明具１８により、各段の外部棚板８、９に載置した商品が上方より照明されるようになっている。
キャビネット２における天板３の前後の端部上面にも、左右方向を向くＬＥＤ照明具１９、１９を取付けてあり、各段の外部棚板８に載置したテスター品が下方より照明されるようになっている。なお、このようなＬＥＤ照明具１８を有する照明装置５やＬＥＤ照明具１９は、必ずしも必要ではないので、それらを省略することもある。
【００３０】
キャビネット２の左右の側面板２ａ、２ａには、前後の支柱６ａ、６ｂと外部棚板８を側方より覆いうる前後幅を有するとともに、支柱６ａ、６ｂの高さとほぼ等高をなす透明なアクリル等よりなる側板２０、２０の下部が、複数の止めねじ２１により取り付けられている。この左右の側板２０と、前後の引戸１０とにより囲まれた内部空間は、販売用化粧品の陳列・保管室Ｒとされている。この陳列・保管室Ｒ内において各段の内部棚板９に載置された販売用化粧品は、前後の透明な引戸１０と左右の透明な側板２０を介して、外部より見通せるようになっている。なお、陳列・保管室Ｒは上方に開放されているが、左右の連結杆１４、１４と前後の上部ガイドレール１５、１５の上面に、透明な天板を載置して、陳列・保管室Ｒの上面を閉塞してもよい。
【００３１】
施錠装置１１のロックを解除して、前後の引戸１０を開くことにより、陳列什器の前後両面から、陳列・保管室Ｒ内の各内部棚板９に商品を陳列したり、顧客の要求する商品を取り出したりすることができる。
【００３２】
図４及び図５に示すように、前部支柱６ａと、後部支柱６ｂにおける下端部の内側面には(左右対称に付き、左方の支柱のみ図示する)、側面視下向きコ字状断面の短寸の支柱固定部材２２が、各支柱６ａ、６ｂの下面と同一面をなすようにして、溶接により固定され、この左右の支柱固定部材２２には、各支柱６ａ、６ｂの下端部の対向面同士を連結している、側面視下向きコ字状断面の下部連結杆２３の両側端部が、上方より適正に嵌合されている。
【００３３】
支柱固定部材２２と下部連結杆２３の側端部に上方より挿入した左右２個の皿ねじ２４を、天板３の上面の凹孔にねじ込んで固定した鬼目ナット２５、２５に螺合し、支柱固定部材２２と下部連結杆２３の側端部とを、天板３の上面に共締めすることにより、各支柱６ａ、６ｂの下端部が、天板３の上面に固定されている。
【００３４】
下部連結杆２３の上面には、左右方向を向く前後２列の凹状のガイド溝２６、２６を有する下部ガイドレール２７が固着されている。
前後２枚の引戸１０、１０の下端部には、前後寸法をガイド溝２６よりも若干小とした縁材２８、２８における側面視上向きコ字状断面をなす上半部２８ａが嵌合されている。縁材２８における側面視下向きコ字状断面をなす下半部２８ｂの左右両側部には、側面視下向きコ字状断面をなす１対の戸車支持部材２９が圧嵌され、この戸車支持部材２９内には、前後方向を向く軸３０回りに回転する戸車３１が収容されている。
戸車３１の下面は、ガイド溝２６の上面により受支され、引戸１０の開閉に伴って、左右方向に転動しうるようになっている。
【００３５】
図６に示すように、前後の引戸１０、１０の上端部には、下向きコ字状断面の縁材３２、３２が嵌合され、この前後の縁材３２は、上述した上部ガイドレール１５における前後２列の下向きコ字状断面のガイド溝１５ａ、１５ａに、左右方向に摺動可能に嵌合されている。これにより、前後２枚の引戸１０、１０は、上下のガイドレール１５、２７に沿って左右方向にスムーズに移動する。
【００３６】
以上説明したように、上記実施形態の陳列什器においては、什器の前後部、すなわち、左右に対向する前部支柱６ａと後部支柱６ｂの前部と後部に、テスター品を載置する上下複数段の外部棚板８を設け、前後の外部棚板８の奥部、すなわち、什器の前後方向の中央部に、前後両面と両側面とが引戸１０と側板２０により囲まれた陳列・保管室Ｒを設けてあるので、その中の内部棚板９に陳列した販売用化粧品を、顧客が自由に手に取って触れることはできない。
従って、高価な香水等が盗難に遭ったり、汚れたりするのを防止することができる。特に、引戸１０を施錠装置１１によりロックしうるので、防盗性は一層高まる。
また、販売用化粧品は、陳列・保管室Ｒ内に収容されているので、販売の回転が悪い商品でも、それに埃が付着する恐れは小さい。
【００３７】
さらに、前後の引戸１０を開くことにより、陳列・保管室Ｒ内の各内部棚板９への商品の陳列や入れ替え作業、及び顧客の要求する商品の取り出し作業等を、陳列什器の前後両面から効率よく行うことができるので、使い勝手がよい。
【００３８】
上記実施形態では、外部棚板８を、前部支柱６ａと後部支柱６ｂとの両方に設けてあるが、いずれか一方のみに設けることもある。
また、上記実施形態では、陳列・保管室Ｒを、前後両面に引戸１０を設けて、前後両面から内部の商品を出し入れできるものとしたが、例えば、陳列・保管室の前面のみに開口と引戸を設け、後面および両側面を透光性のパネル等をもって閉塞し、引戸の前方に外部棚板８を配設するようにしてもよい。
【００３９】
さらに、左右の側板２０を、前後の支柱６の外側面に取り付けてもよい。
【符号の説明】
【００４０】
１  扉
２  箱形キャビネット
２ａ側面板
３  天板
４  商品陳列棚
５  照明装置
６ａ前部支柱
６ｂ後部支柱
７  ブラケット
７ａ係止フック
７ｂ棚板支持片
８  外部棚板
９  内部棚板
１０  引戸
１１  施錠装置
１２  係合孔
１３  パッド
１４  連結杆
１５  上部ガイドレール
１５ａガイド溝
１６  支持杆
１７  水平杆
１８  ＬＥＤ照明具
１９  ＬＥＤ照明具
２０  側板
２１  止めねじ
２２  支柱固定部材
２３  下部連結杆
２４  皿ねじ
２５  鬼目ナット
２６  ガイド溝
２７  下部ガイドレール
２８  縁材
２８ａ上半部
２８ｂ下半部
２９  戸車支持部材
３０  軸
３１  戸車
３２  縁材
Ｒ  陳列・保管室
【図１】
2012187271.tif 000003
【図２】
2012187271.tif 000004
【図３】
2012187271.tif 000005
【図４】
2012187271.tif 000006
【図５】
2012187271.tif 000007
【図６】
2012187271.tif 000008